(57)【要約】      （修正有）【課題】ドリップバッグが使用に適さず、浪費が過度であるという欠点を解決することができる、使い捨て式飲料用のフィルターバッグ装置を提供する。【解決手段】使い捨て式飲料用のフィルターバッグ装置１は、単一のろ過布或いはろ過紙材質により製造される偏平状で片側開きのバッグ型のフィルターバッグ２１であり、バッグ口２１３の上端に近い中段位置には両側が対称で、幅がバッグ口幅のおよそ半分の切り込み型引っ掛け孔２１１を中央に横方向に開設し、フィルターバッグ２１はステンレス線材により構成する環状フィルター掛けリング２２に対応し、中段メインフレーム体２２２両側辺は外へと拡張した凸型掛止部２２３で、フィルターバッグ２１片側の切り込み型引っ掛け孔２１１を先に引っ掛けた後、反対側の切り込み型引っ掛け孔２１１を少し開いた後、反対側の凸型掛止部２２３に引っ掛け、フィルターバッグ２１上段が矩形を呈し、バッグ口２１３が開いて設置されたろ過フレーム２を構成する。【選択図】図２
0003208203.tif 000002
【実用新案登録請求の範囲】
【請求項１】
フィルターバッグと、環状フィルター掛けリングと、を有する、ろ過フレームを備え、
前記フィルターバッグは、ろ過布或いはろ過紙の材質の偏平状で、片側開口のバッグ型で、バッグ口の上端に近い中段位置には、両側に対称に一対の切り込み型引っ掛け孔を横方向に開設し、
前記環状フィルター掛けリングは、ステンレス線材を湾曲、屈折させ、前記環状フィルター掛けリングの後段はＵ型の差込部であり、
前記環状フィルター掛けリングの前段は、前方へ向かい対称に延伸し、最前段の位置には、欠口を設置し、該欠口にコイルばねの両端を引っ掛け、間隔を開けて、弾性の内縮調整が可能なメインフレーム体を設け、
前記メインフレーム体の両側辺の中段には、一対の凸型掛止部を、対称に、各々、外へと拡張して、突出状に設置し、
凸型掛止部の線体の部位は、容器の口縁の上方を跨いで平らに設置され、
前記切り込み型引っ掛け孔を、前記凸型掛止部にそれぞれ掛け、フィルターバッグの上段のバッグ口が開いて設置されることを特徴とする、使い捨て式飲料用のフィルターバッグ装置。
【請求項２】
前記環状フィルター掛けリングの後段に持ち手部を設け、
前記持ち手部の底端に開設する広がった形状のフォーク型置き止め部を設け、
前記フォーク型置き止め部は、下方へと垂直に設置される前後に分かれたクリップ片であり、サイズ調整ができる弾性を備えるクリップ口を設け、容器の口縁に適用でき、前記フォーク型置き止め部は、下方へと容器の厚み部分を挟んで両側で定位でき、ろ過フレーム全体は容器上方を跨いで平らに設置され、
前記持ち手部の頂端に横方向に設置される偏平キャップ溝により、前記Ｕ型の差込部が差し込まれ、
前記持ち手部は、前記環状フィルター掛けリングの後段に設けられて、前記差込部の長さ範囲内で前後に移動調整できることを特徴とする請求項１に記載の使い捨て式飲料用のフィルターバッグ装置。
【請求項３】
前記フィルターバッグの袋型は、筒形であることを特徴とする請求項１に記載の使い捨て式飲料用のフィルターバッグ装置。
【請求項４】
前記フィルターバッグは、底段両側が斜辺である集中型フィルターバッグであることを特徴とする請求項３に記載の使い捨て式飲料用のフィルターバッグ装置。
【請求項５】
前記フィルターバッグは、両側が斜辺である導液型フィルターバッグであることを特徴とする請求項３に記載の使い捨て式飲料用のフィルターバッグ装置。
【請求項６】
前記フィルターバッグは、両側が斜辺で、底段にさらに斜辺を設ける集中導液型フィルターバッグであることを特徴とする請求項３に記載の使い捨て式飲料用のフィルターバッグ装置。
【請求項７】
前記フィルターバッグの切り込み型引っ掛け孔の上方で、前記バッグ口の中段位置は、上方へと延伸し、つまみ部を突出状に設置することを特徴とする請求項１に記載の使い捨て式飲料用のフィルターバッグ装置。
【考案の詳細な説明】
【技術分野】
【０００１】
本考案は、コーヒー或いは茶等の飲料材抽出、ろ過用途に使用する使い捨て式飲料用フィルターバッグ装置に関し、特に単一のろ過布或いはろ過紙材質により製造される偏平状で片側開きのバッグ型のフィルターバッグで、口を開いた状態で設置され、操作が簡便で携帯が便利な使い捨て式飲料用のフィルターバッグ装置に関する。
【背景技術】
【０００２】
コーヒー或いは茶、ハーブティー等の飲料の抽出に機器を使用するのならば、それは高価で体積が大きく、携帯に不便である。
【０００３】
そこで、家庭、個人での使用のニーズに応える、様々なタイプの手動抽出装置が開発されている。
【０００４】
中でも構造が簡単で、使用及び携帯に便利で、衛生的な装置は、一般にドリップバッグと呼ばれているものが提供されている。
【０００５】
ドリップバッグは主にろ過機能を備えるろ過バッグで、両側に外へと展開し両側に突出する固定用紙板のフックを結合した一体式構造である。
【０００６】
予めコーヒー粉末を入れたろ過バッグを展開させ、フックをカップ体の口縁両側に掛けて、ドリップバッグの全体をカップ内に吊り下げた後、熱湯を加えて飲料を抽出する。
【０００７】
ろ過バッグを使用した後、濾し取ったカスとともに、ろ過バッグ全体を廃棄するものである。
【０００８】
このドリップバッグの長所は、抽出するために携帯でき、体積が小さいことである。
【０００９】
しかし、この構造を製造するには、『固定用紙板』をろ過バッグの両側に接着する必要があるため、コストが比較的に高いという欠点がある。
【００１０】
しかも、紙板を漂白するため、安全性に疑問がある。
【００１１】
安全性に対する疑問は、材質が異なる、ろ過バッグ本体と紙板との接着時に使用する接着剤成分が高温抽出時に流れだすのではという恐れもある。
【００１２】
さらに、ドリップバッグの使用後は、固定用紙板付きのろ過バッグ全体を廃棄しなければならないが、コストの半分以上を占めるのは、定位用途に用いる固定用紙板部位である。
【００１３】
ろ過バッグを繰り返し使用できないのでは、あまりに大きな浪費である。
【考案の概要】
【考案が解決しようとする課題】
【００１４】
前記先行技術のドリップバッグは、固定用紙板の浪費が過度であるので、ろ過材料の製造、使用コストの低減が困難であり、環境保護の面でも未だ十分なものではない。
【課題を解決するための手段】
【００１５】
請求項１の使い捨て式飲料用のフィルターバッグ装置は、
フィルターバッグと、環状フィルター掛けリングと、を有する、ろ過フレームを備え、
前記フィルターバッグは、ろ過布或いはろ過紙の材質の偏平状で、片側開口のバッグ型で、バッグ口の上端に近い中段位置には、両側に対称に一対の切り込み型引っ掛け孔を横方向に開設し、
前記環状フィルター掛けリングは、ステンレス線材を湾曲、屈折させ、前記環状フィルター掛けリングの後段はＵ型の差込部であり、
前記差込部の前段は、前方へ向かい対称に延伸し、最前段位置には、欠口を設置し、該欠口にコイルばねの両端を引っ掛け、間隔を開けて、弾性の内縮調整が可能なメインフレーム体を設け、
前記メインフレーム体の両側辺の中段には、一対の凸型掛止部を、対称に、各々、外へと拡張して、突出状に設置し、
凸型掛止部の線体の部位は、容器の口縁の上方を跨いで平らに設置され、
前記切り込み型引っ掛け孔を、前記凸型掛止部にそれぞれ掛け、フィルターバッグの上段のバッグ口が開いて設置されることを特徴とする。
【００１６】
請求項２に記載の使い捨て式飲料用のフィルターバッグ装置は、
前記環状フィルター掛けリングの後段に持ち手部を設け、
前記持ち手部の底端に開設する広がった形状のフォーク型置き止め部を設け、
前記フォーク型置き止め部は、下方へと垂直に設置される前後に分かれたクリップ片であり、サイズ調整ができる弾性を備えるクリップ口を設け、容器の口縁に適用でき、前記フォーク型置き止め部は、下方へと容器の厚み部分を挟んで両側で定位でき、ろ過フレーム全体は容器上方を跨いで平らに設置され、
前記持ち手部の頂端に横方向に設置される偏平キャップ溝により、前記Ｕ型の差込部が差し込まれ、
前記持ち手部は、前記環状フィルター掛けリングの後段に設けられて、前記差込部の長さ範囲内で前後に移動調整できることを特徴とする。
【００１７】
請求項３に記載の使い捨て式飲料用のフィルターバッグ装置の前記フィルターバッグの袋型は、筒形であることを特徴とする。
【００１８】
請求項４に記載の使い捨て式飲料用のフィルターバッグ装置の前記フィルターバッグは、底段両側が斜辺である集中型フィルターバッグであることを特徴とする。
【００１９】
請求項５に記載の使い捨て式飲料用のフィルターバッグ装置の前記フィルターバッグは、両側が斜辺である導液型フィルターバッグであることを特徴とする。
【００２０】
請求項６に記載の使い捨て式飲料用のフィルターバッグ装置の前記フィルターバッグは、両側が斜辺で、底段にさらに斜辺を設ける集中導液型フィルターバッグであることを特徴とする。
【００２１】
請求項７に記載の使い捨て式飲料用のフィルターバッグ装置の前記フィルターバッグの切り込み型引っ掛け孔の上方で、前記バッグ口の中段位置は、上方へと延伸し、つまみ部を突出状に設置することを特徴とする。  
【００２２】
本考案による使い捨て式飲料用のフィルターバッグ装置は、構造が簡単で、使用の利便性が高い。
【００２３】
該フィルターバッグ装置は、環状フィルター掛けリングを備え、フィルターバッグの切り込み型引っ掛け孔を先に凸型掛止部に引っ掛け、反対側の切り込み型引っ掛け孔を少し捲るように引っ張った後、もう一つの凸型掛止部に掛け、凸型掛止部にフィルターバッグが定位に結合され、フィルターバッグの上段が一対の凸型掛止部の周辺に平らに跨いで設置される。
【００２４】
前記フィルターバッグ装置の前記バッグボディは環状フィルター掛けリングの下方に垂れて設置され、全体が使用を選定した抽出容器内に入ることが可能であり、前記環状フィルター掛けリングの外拡状の凸型掛止部により、容器の口縁を上方を跨いで平らに設置され、フィルターバッグの上段が矩形な口を開いて設置され、ろ過フレームは、容器にオーバーハングされ、コーヒー或いは茶液等の飲料材をフィルターバッグ内に入れて抽出が行え、抽出を完成したコーヒー或いは茶は下方へとフィルターバッグを通過して容器内に落ちて入り貯留される。
【００２５】
抽出、カスの取り除き操作が完成した後のろ過フレームに対して、メインフレーム体は、間隔を内縮する調整機能を備えるため、使用者がメインフレーム体の両外側位置から向かい合うように、つまみ潰すことで、メインフレーム体を弾性的に内縮調整されて、コイルばねが内縮して変形し調整されるため、両側の凸型掛止部の間隔は同時に内縮する。切り込み型引っ掛け孔は、その側にある凸型掛止部の制限を迅速に離脱し、フィルターバッグは支えを失った後に自動的に落下し離脱する。
して、使用者は、
【００２６】
こうして、コーヒー或いは茶等飲料材の抽出、ろ過を最も簡便な操作で行うことができる。
【００２７】
本考案による使い捨て式飲料用のフィルターバッグ装置は、異なる操作を選択できる。１つの操作は、フィルターバッグを既に取り付けた環状フィルター掛けリングは、抽出容器の口縁上方に跨いで設置されて定位され、使用者は直接、フィルターバッグに熱湯を注ぎドリップ式抽出を行うことができる。他の操作は、フィルターバッグ全体を容器内に浸し、抽出式の抽出を行った後、取り上げて、抽出容器の口縁上方に定位し、ろ過の操作を待つこともできる。
【００２８】
こうして、使用者は好みの味、濃度等に応じて操作方式を選択でき、簡便性と実用性を兼ね備える。
【００２９】
本考案による携帯に便利な使い捨て式飲料用のフィルターバッグ装置において、携帯する扁平なフィルターバッグの他に、扁平で面積がフィルターバッグより小さい環状フィルター掛けリング、環状フィルター掛けリングに対して分解可能な持ち手部は重ねられ、厚みが極めて薄く、フィルターバッグ面積よりやや大きい袋体内に収納して、使い捨て式飲料用のフィルターバッグ装置を携帯できる。こうして、外出時の携帯のニーズに応えることができる最高の実用性を備える。
【００３０】
使用者は、コーヒー、茶葉等各種飲料材原料を準備するだけで、外出時にフィルターバッグをセットできる容器、或いは手に入りやすいカップ、紙カップ等があれば、熱湯を用意することで、いつでもどこでも、飲料を抽出でき、抽出後は簡単に後片付けできる。
【考案の効果】
【００３１】
請求項１〜７に係る考案によれば、ろ過布或いはろ過紙材質により製造される偏平状で片側開口のバッグ型の使い捨て式フィルターバッグに対して、永久的に繰り返し使用が可能な環状フィルター掛けリングを対応させることができる。フィルターバッグだけを交換すればよく、環状フィルター掛けリングに切り込み型引っ掛け孔を掛ければ迅速に結合できる。簡単なフィルターバッグは、ろ過使用後に廃棄或いは洗浄でき、ろ過材料の製造、使用コストを低下させられ、最高の経済性と確実な環境保護効果を確保できる。
【００３２】
請求項２に係る考案によれば、環状フィルター掛けリングのＵ型の差込部の後段には、持ち手部を追加設置でき、これにより使用者に手で持つ際の利便性を提供できる他、その底端には下向きのクリップ口を開設するため、抽出容器の口縁の部位に嵌め入れて挟むことができる。コイルばねの弾性作用により、メインフレーム体を内縮させることで、フィルターバッグを簡単に離脱させることができる。
【００３３】
請求項４〜６に係る考案によれば、面積縮小、或いは熱湯を集中させる効果がある。
【００３４】
請求項７に係る考案によれば、使用者は前記フィルターバッグ端部を識別しやすく、また正確に引っ張ることができ、前記環状フィルター掛けリングに迅速に掛けられる操作の利便性を達成する。
【図面の簡単な説明】
【００３５】
【図１】本考案第一実施形態のフィルターバッグ主要組成図である。
【図１Ａ】本考案第一実施形態のフィルターバッグの組合せ操作の模式図である。
【図２】本考案第一実施形態のフィルターバッグの組合せ完成と使用準備の模式図である。
【図２Ａ】本考案第一実施形態のフィルターバッグの使用例図（１）である。
【図２Ｂ】本考案第一実施形態のフィルターバッグの使用例図（２）である。
【図２Ｃ】本考案第一実施形態のフィルターバッグの別種の対応の使用例図である。
【図２Ｄ】本考案第一実施形態のフィルターバッグのさらに別種の対応の使用例図である。
【図３】本考案第一実施形態のフィルターバッグの取り外し操作の模式図である。
【図４】本考案第一実施形態のフィルターバッグを重ねて携帯する様子の模式図である。
【図５Ａ】本考案第二実施形態によるフィルターバッグの模式図である。
【図５Ｂ】本考案第三実施形態によるフィルターバッグの模式図である。
【図５Ｃ】本考案第四実施形態によるフィルターバッグの模式図である。
【考案を実施するための形態】
【００３６】
図１、図１Ａ、図２、図２A〜２Ｄ、図３、図４に示す通り、本考案実施形態の使い捨て式飲料用のフィルターバッグ装置１は、ろ過フレーム２と、持ち手部３と、を備えている。ろ過フレーム２は、フィルターバッグ２１と、環状フィルター掛けリング２２とを備える。
【００３７】
フィルターバッグ２１は、ろ過布或いはろ過紙材質により製造される偏平状、片側開口のバッグ型である。フィルターバッグ２１は、切り込み型引っ掛け孔２１１と、つまみ部２１２と、バッグ口２１３と、バッグボディ２１４と、を備えている。
【００３８】
フィルターバッグ２１は布、軟性の材質により製造され、環状フィルター掛けリング２２を結合し、ろ過フレーム２を構成する。  フィルターバッグ２１の下段の垂れ下がったバッグボディ２１４は、その外形形式、或いは、サイズには制限がない自由な袋型である。
【００３９】
バッグ口２１３の上端に近い中段位置には、幅がバッグ口２１３の幅のおよそ半分の幅の切り込み型引っ掛け孔２１１を中央に横方向に両側に対称に開設している。
【００４０】
フィルターバッグ２１は、その切り込み型引っ掛け孔２１１の上方に、バッグ口２１３の中段位置は、上方へと延伸し、短い、つまみ部２１２を上方に突出状に設置する。
【００４１】
環状フィルター掛けリング２２は、ステンレス線材を湾曲、屈折させ構成するものである。この環状フィルター掛けリング２２は、差込部２２１と、メインフレーム体２２２と、凸型掛止部２２３と、欠口２２４と、コイルばね２２５と、を備えている。
【００４２】
環状フィルター掛けリング２２の後段は、Ｕ型の差込部２２１である。
【００４３】
差込部２２１の前段は、前方へ向かい対称に延伸し、矩形に設置される。
【００４４】
環状フィルター掛けリング２２の最前段位置には、欠口２２４を設置し、コイルばね２２５の両端を欠口２２４に掛けて入れ、図３に示す通り、間隔を弾性的に内縮する調整機能を備えるメインフレーム体２２２を構成する。
【００４５】
メインフレーム体２２２の両側辺中段には、フィルターバッグ２１の切り込み型引っ掛け孔２１１に差し込んで引っ掛けることが可能な凸型掛止部２２３を、対称に、外へと拡張し、突出状に設置してある。
【００４６】
外に拡張した形状を呈する凸型掛止部２２３の線体部位は、コイルばね２２５が伸びた状態において、一般の抽出用ポット型容器４、或いは、カップ型容器４の口径より大きいため、その口縁４１の上方を平らに跨いで設置することができる。
【００４７】
この環状フィルター掛けリング２２の構造は、フィルターバッグ２１の片側の切り込み型引っ掛け孔２１１を、対応する凸型掛止部２２３に先に引っ掛けた後、反対側の切り込み型引っ掛け孔２１１は、反対側へといくらか引っ張った後、もう一つの凸型掛止部２２３に引っ掛けられることにより、フィルターバッグ２１上段は、いくらか矩形を呈するように設けられている。
【００４８】
持ち手部３は、使用を選択した容器４の口径サイズに対応でき、差込部２２１の長さ内において、メインフレーム２２２に対して、前後に移動でき、一般に使用される様々な口径の容器４に適用できる。
【００４９】
持ち手部３は、上下方向に延び出す板状の部材であり、上部には偏平キャップ溝３１、下部には、フォーク型置き止め部３２と、クリップ口３２１とを備えている。
【００５０】
環状フィルター掛けリング２２のＵ型の差込部２２１は、環状フィルター掛けリング２２の後段に設けられ、持ち手部３の頂部に横方向に設置される偏平な貫通孔である偏平キャップ溝３１に挿通される。
【００５１】
フォーク型置き止め部３２は、持ち手部３の底端に開設する広がった形状で、下方へと垂直に設置される前後に分かれたクリップ片であり、いくらかサイズ調整できる弾性を備えるクリップ口３２１を設けているため、一般に使用される容器４の頂段にある口縁４１の厚みの差異に対応できる構造である。
【００５２】
図１、１Ａ、２Ａ、２Ｂにおいて示す容器４は、筒型のガラスポットである。
【００５３】
次に、本考案使い捨て式飲料用のフィルターバッグ装置１の使用方法及び作用効果について説明する。
【００５４】
バッグ口２１３の上端に近い中段位置には両側が対称で、幅がバッグ口２１３の幅のおよそ半分の切り込み型引っ掛け孔２１１を中央に横方向に開設し、フィルターバッグ２１はステンレス線材により構成する環状フィルター掛けリング２２に対応し、中段メインフレーム体２２２両側辺は外へと拡張した凸型掛止部２２３で、フィルターバッグ２１片側の切り込み型引っ掛け孔２１１を先に引っ掛けた後、反対側の切り込み型引っ掛け孔２１１を少し開いた後、反対側の凸型掛止部２２３に引っ掛け、フィルターバッグ２１上段が矩形を呈するようにセットする。
【００５５】
つまみ部２１２により、使用者は部位を識別しやすくなる他、フィルターバッグ２１を正確に引っ張り、切り込み型引っ掛け孔２１１を拡張させられ、環状フィルター掛けリング２２を迅速にセットすることができる。
【００５６】
これにより、開放型のバッグ口２１３が開いて設置されたろ過フレーム２を構成し、環状フィルター掛けリング２２の下方にバッグボディ２１４が垂れて設置される。
【００５７】
図２Ａに示す通り、ろ過フレーム２の構造の下方のフィルターバッグ２１は、全体を、使用を選択した抽出用の容器４の内側に入れられ、メインフレーム２２２は口縁４１の上に載置される。環状フィルター掛けリング２２のメインフレーム体２２２の外に拡張する形状の凸型掛止部２２３は、容器４の口縁４１の上方に平らに跨いで設置される。
【００５８】
使用者は、図２Ｂに示す通り、ろ過フレーム２全体を持ち上げ、容器４の口縁４１の適宜位置に、持ち手部３の底端のフォーク型置き止め部３２を、口縁４１の厚み両側を挟んで定位し、ろ過フレーム２の全体は、安定的に、容器４の口縁４１の上方を跨いで設置される。
【００５９】
フィルターバッグ２１のバッグボディ２１４の深さが、カップ底に及ばない時には、ろ過フレーム２は、容器４内にオーバーハングされ、垂れて底部に落ちることはない。
【００６０】
異なるポット型、或いは、マグカップ４Ａ（図２Ｃ参照）のカップ型、さらには紙カップ４Ｂ（図２Ｄ参照）、或いは、保温カップ、ポット等、一般に常用される容器４内に、それぞれ、ろ過フレーム２をセットできる。
【００６１】
前述の容器４の口径の規格が、環状フィルター掛けリング２２のメインフレーム体２２２の外に拡張する形状の凸型掛止部２２３に適合し、その口縁４１の上方に、メインフレーム体２２２を平らに跨いで置ける規格範囲内であれば、すべて適用可能である。
【００６２】
こうして、バッグボディ２１４の下段は、環状フィルター掛けリング２２の下方に垂れて設置され、使用者は、適量のすでに研磨したコーヒー粉、或いは、茶葉等の飲料材を、展開状のフィルターバッグ２１のバッグ口２１３の位置に入れた後、適量、適温の熱湯をゆっくりと注ぎ、コーヒー、或いは、茶液等の飲料の抽出操作を行うことができる。
【００６３】
図２Ａに示す通り、しばらく待ち、コーヒー或いは茶の抽出が完了まで待つ。
【００６４】
フィルターバッグ内の大部分の抽出が完了したコーヒー或いは茶液は、すでにバッグボディ２１４の濾材組織を通過し、容器４内に落ちて貯留されている。
【００６５】
注がれた液体は下方へとフィルターバッグ２１の材質を通過し、ろ過された残りカスはフィルターバッグ２１内に貯留され、シンプルな組合せろ過フレーム２として使用される。
【００６６】
容器４の上方に一時的に置かれる、或いは、跨いで置かれる、ろ過フレーム２により、通過が終わっていないコーヒー或いは茶液は、バッグボディ２１４の濾材組織を継続して通過し、下方の容器４内に落ちて貯留される。
【００６７】
ドリップ操作過程において、コーヒー粉或いは茶葉を浸した熱湯は、抽出が完了されると、コーヒー或いは茶となる。
【００６８】
使用者は、容器４をそのまま取り出し、コーヒー或いは茶を飲用できる。
【００６９】
図２に示す通り、フィルターバッグ２１内のコーヒー粉或いは茶葉のカスが、すでに水分が残っていない、或いは、やや乾いた状態を呈すると、ろ過フレーム２の全体を持ち上げ、容器４の上方から外し、抽出を完成し、カスを取り除く。
【００７０】
抽出、カスの取り除きの操作が完成した後のろ過フレーム２（図２Ａ、２Ｂ参照）に対して、使用者がメインフレーム２２２の両外側位置からつまみ潰してコイルばね２２５を内縮させて図３の状態に弾性変形させれば、メインフレーム体２２２の両側の凸型掛止部２２３は、コイルばね２２５が内縮して変形し調整されるため、両側の凸型掛止部２２３の間隔は同時に内縮する。メインフレーム体２２２は、図３の矢印に示す通り、間隔を内縮する調整機能を備えるため、切り込み型引っ掛け孔２１１は、その側の凸型掛止部２２３の制限を迅速に離脱する。
【００７１】
これにより、反対側の切り込み型引っ掛け孔２１１と凸型掛止部２２３の嵌合位置を解除でき、フィルターバッグ２１の両側の切り込み型引っ掛け孔２１１は同時にサポートを失い、バッグボディ２１４内は水を含んだカスがフィルターバッグ２１の重量を増やすため、重力の作用によって、迅速に下方へと滑り落ち、排除される。
【００７２】
こうして、環状フィルター掛けリング２２は、図１Ａに示す使用準備状態を回復する。
【００７３】
すなわち、使用後の後片付けと再使用の準備操作において、本考案は最適な利便性を備え、使用者はフィルターバッグ２１に全く触れる必要がなく、清潔で衛生的である。フィルターバッグ２１の交換が迅速に行え、廃棄物が減らせ、経済的かつ実用的な効果がある。
【００７４】
図３に示す通り、フィルターバッグ２１は扁平状の袋形を呈するため、多数を重ねて携帯することができる。
【００７５】
平らで、面積がフィルターバッグ２１より小さい環状フィルター掛けリング２２、及び、分解可能な短状の持ち手部３を、重ねた後、これらとともに、フィルターバッグ２１を、フィルターバッグ２１の面積よりやや大きい袋体内に入れて収納、携帯することができる。
【００７６】
使用者は、コーヒー、茶葉等の各種飲料材原料を準備するだけで、外出時には、フィルターバッグ２１をセットできる容器４、或いは、手に入りやすいカップ、紙カップ等があれば、熱湯を用意することで、いつでもどこでも、飲料を抽出でき、抽出後は簡単に後片付けでき、外出時に携帯する場合には、各種の手頃な容器４を用いて、抽出が可能な利便性を提供でき、外出時の携帯のニーズに応えることができる最高の実用性を備える。
【００７７】
使い捨て式飲料用のフィルターバッグ装置１は、コストの半分以上を占めるのは、定位用途に用いるドリップバッグの固定用紙板を不要とするので、コストが削減でき、また、構造がシンプルで、設置と取り外しの利便性が高く、コンパクトで収納と携帯に便利である等の多様な特色を備え、使用者にコーヒー、茶等の飲料を提供でき、最良の実用性、経済的効果を備える。
【００７８】
しかも、漂白された固定用紙板と接着剤を不要とするため、安全性をさせることが可能である。
【００７９】
以上説明した第一実施形態のフィルターバッグ２１の基本外型は、筒形の袋型であるが、これの変更形態も可能である。
【００８０】
第二実施形態は、面積縮小、或いは熱湯を集中させる効果等を考慮し、フィルターバッグ２１は、底部の両側を斜めとした集中型フィルターバッグ２１Ａ（図５Ａ参照）とする。
【００８１】
第三実施形態は、両側斜辺の導液型フィルターバッグ２１Ｂ（図５Ｂ参照）とする。
【００８２】
第四実施形態は、両側が斜辺でしかも底部にさらに斜辺を構成する集中導液型フィルターバッグ２１Ｃ（図５Ｃ参照）とする。その他、各種形式の袋型とでき、それらに制限はなく、またすべて本案考案の適用範囲に含むものとする。
【００８３】
本考案により保護される範囲は後述される実用新案登録請求の範囲を基準とする。前述した本考案の実施形態は本考案を限定するものではなく、考案の要旨を逸脱しない範囲において、本考案の種々の変更、追加、置換等も可能であることは無論である。
【符号の説明】
【００８４】
１・・・使い捨て式飲料用のフィルターバッグ装置
２・・・ろ過フレーム
２１・・・フィルターバッグ
２１Ａ・・・集中型フィルターバッグ
２１Ｂ・・・導液型フィルターバッグ
２１Ｃ・・・集中導液型フィルターバッグ
２１１・・・切り込み型引っ掛け孔
２１２・・・つまみ部
２１３・・・バッグ口
２１４・・・バッグボディ
２２・・・環状フィルター掛けリング
２２１・・・差込部
２２２・・・メインフレーム体
２２３・・・凸型掛止部
２２４・・・欠口
２２５・・・コイルばね
３・・・持ち手部
３１・・・偏平キャップ溝
３２・・・フォーク型置き止め部
３２１・・・クリップ口
４・・・容器
４１・・・口縁
４Ａ・・・マグカップ
４Ｂ・・・紙カップ
【図１】
0003208203.tif 000003
【図１Ａ】
0003208203.tif 000004
【図２】
0003208203.tif 000005
【図２Ａ】
0003208203.tif 000006
【図２Ｂ】
0003208203.tif 000007
【図２Ｃ】
0003208203.tif 000008
【図２Ｄ】
0003208203.tif 000009
【図３】
0003208203.tif 000010
【図４】
0003208203.tif 000011
【図５Ａ】
0003208203.tif 000012
【図５Ｂ】
0003208203.tif 000013
【図５Ｃ】
0003208203.tif 000014